【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  下記式の化合物および該化合物の医薬的に許容される塩。
【化１】
2002508326.tif 000001
［式中、
Ｗは
【化２】
2002508326.tif 000002
Ｎ、ＯおよびＳからなる群から選択される０、１、２、３または４個のヘテロ原子を有する５員もしくは６員の単環式芳香環もしくは非芳香環系（該環において、環窒素原子は未置換であるかあるいは１個のＲ１置換基で置換されており、環炭素原子は未置換であるかあるいは１個もしくは２個のＲ１置換基で置換されている）、および
１以上の環が芳香族であり、Ｎ、ＯおよびＳからなる群から選択される０、１、２、３または４個のヘテロ原子を有する９〜１４員の多環系（該多環系において、環窒素原子は未置換であるかあるいは１個のＲ１置換基で置換されており、環炭素原子は未置換であるかあるいは１個もしくは２個のＲ１置換基で置換されている）
から選択され；
Ｘは、−（ＣＨ２）ｖ−（メチレン（ＣＨ２）炭素原子は未置換であるかあるいは１個もしくは２個のＲ１置換基で置換されている）；Ｎ、ＯおよびＳからなる群から選択される０、１、２、３または４個のヘテロ原子を有する５員もしくは６員の単環式芳香環もしくは非芳香環系（該環において、環窒素原子は未置換であるかあるいは１個のＲ１置換基で置換されており、環炭素原子は未置換であるかあるいは１個もしくは２個のＲ１置換基で置換されている）からなる群から選択され；
Ｙは、
−（ＣＨ２）ｍ−、
−（ＣＨ２）ｍ−Ｏ−（ＣＨ２）ｎ−、
−（ＣＨ２）ｍ−ＮＲ４−（ＣＨ２）ｎ−、
−（ＣＨ２）ｍ−Ｓ−（ＣＨ２）ｎ−、
−（ＣＨ２）ｍ−ＳＯ−（ＣＨ２）ｎ−、
−（ＣＨ２）ｍ−ＳＯ２−（ＣＨ２）ｎ−、
−（ＣＨ２）ｍ−Ｏ−（ＣＨ２）ｎ−Ｏ−（ＣＨ２）ｐ−、
−（ＣＨ２）ｍ−Ｏ−（ＣＨ２）ｎ−ＮＲ４−（ＣＨ２）ｐ−、
−（ＣＨ２）ｍ−ＮＲ４−（ＣＨ２）ｎ−ＮＲ４−（ＣＨ２）ｐ−、
−（ＣＨ２）ｍ−Ｏ−（ＣＨ２）ｎ−Ｓ−（ＣＨ２）ｐ−、
−（ＣＨ２）ｍ−Ｓ−（ＣＨ２）ｎ−Ｓ−（ＣＨ２）ｐ−、
−（ＣＨ２）ｍ−ＮＲ４−（ＣＨ２）ｎ−Ｓ−（ＣＨ２）ｐ−、
−（ＣＨ２）ｍ−ＮＲ４−（ＣＨ２）ｎ−Ｏ−（ＣＨ２）ｐ−、
−（ＣＨ２）ｍ−Ｓ−（ＣＨ２）ｎ−Ｏ−（ＣＨ２）ｐ−および
−（ＣＨ２）ｍ−Ｓ−（ＣＨ２）ｎ−ＮＲ４−（ＣＨ２）ｐ−
からなる群から選択され；
ＹにおけるＲ４以外のメチレン（ＣＨ２）炭素原子は１個もしくは２個のＲ３置換基によって置換されていても良く；
Ｚは、Ｎ、ＯおよびＳからなる群から選択される０〜６個のヘテロ原子を有する６〜１１員の芳香族もしくは非芳香族の単環式もしくは多環式の環系（該環系は、未置換であるか、１、２、３もしくは４個のオキソ置換基によって置換されており、未置換であるかＲ１０、Ｒ１１、Ｒ１２およびＲ１３からなる群から独立に選択される１個以上の置換基によって置換されている）；ただし、Ｚはフェニルおよびピリジルではなく；
Ｒ１およびＲ２はそれぞれ独立に、水素、ハロゲン、Ｃ１−１０アルキル、Ｃ３−８シクロアルキル、Ｃ３−８シクロヘテロアルキル、Ｃ３−８シクロアルキルＣ１−６アルキル、Ｃ３−８シクロヘテロアルキルＣ１−６アルキル、アリール、アリールＣ１−８アルキル、アミノ、アミノＣ１−８アルキル、Ｃ１−３アシルアミノ、Ｃ１−３アシルアミノＣ１−８アルキル、（Ｃ１−６アルキル）ｐアミノ、（Ｃ１−６アルキル）ｐアミノＣ１−８アルキル、Ｃ１−４アルコキシ、Ｃ１−４アルコキシＣ１−６アルキル、ヒドロキシカルボニル、ヒドロキシカルボニルＣ１−６アルキル、Ｃ１−３アルコキシカルボニル、Ｃ１−３アルコキシカルボニルＣ１−６アルキル、ヒドロキシカルボニルＣ１−６アルキルオキシ、水酸基、ヒドロキシＣ１−６アルキル、Ｃ１−６アルコキシＣ１−６アルキル、ニトロ、シアノ、トリフルオロメチル、トリフルオロメトキシ、トリフルオロエトキシ、Ｃ１−８アルキル−Ｓ（Ｏ）ｐ−、（Ｃ１−８アルキル）ｐアミノカルボニル、Ｃ１−８アルキルカルボニルアミノ、（Ｃ１−８アルキル）ｐアミノカルボニルオキシ、（アリールＣ１−８アルキル）ｐアミノ、（アリール）ｐアミノ、アリールＣ１−８アルキルスルホニルアミノおよびＣ１−８アルキルスルホニルアミノからなる群から選択されるか；あるいは同一の炭素原子上にある場合に２個のＲ１置換基が、それらが結合している炭素原子と一体となってカルボニル基を形成しており；
各Ｒ３は独立に、
水素、
アリール、
Ｃ１−１０アルキル、
アリール−（ＣＨ２）ｒ−Ｏ−（ＣＨ２）ｓ−、
アリール−（ＣＨ２）ｒ−Ｓ（Ｏ）ｐ−（ＣＨ２）ｓ−、
アリール−（ＣＨ２）ｒ−Ｃ（Ｏ）−（ＣＨ２）ｓ−、
アリール−（ＣＨ２）ｒ−Ｃ（Ｏ）−Ｎ（Ｒ４）−（ＣＨ２）ｓ−、
アリール−（ＣＨ２）ｒ−Ｎ（Ｒ４）−Ｃ（Ｏ）−（ＣＨ２）ｓ−、
アリール−（ＣＨ２）ｒ−Ｎ（Ｒ４）−（ＣＨ２）ｓ−、
ハロゲン、
水酸基、
オキソ、
トリフルオロメチル、
Ｃ１−８アルキルカルボニルアミノ、
アリールＣ１−５アルコキシ、
Ｃ１−５アルコキシカルボニル、
（Ｃ１−８アルキル）ｐアミノカルボニル、
Ｃ１−６アルキルカルボニルオキシ、
Ｃ３−８シクロアルキル、
（Ｃ１−６アルキル）ｐアミノ、
アミノＣ１−６アルキル、
アリールアミノカルボニル、
アリールＣ１−５アルキルアミノカルボニル、
アミノカルボニル、
アミノカルボニルＣ１−６アルキル、
ヒドロキシカルボニル、
ヒドロキシカルボニルＣ１−６アルキル、
ＨＣ≡Ｃ（ＣＨ２）ｔ−、
Ｃ１−６アルキル−Ｃ≡Ｃ（ＣＨ２）ｔ−、
Ｃ３−７シクロアルキル−Ｃ≡Ｃ−（ＣＨ２）ｔ−、
アリール−Ｃ≡Ｃ（ＣＨ２）ｔ−、
Ｃ１−６アルキルアリール−Ｃ≡Ｃ−（ＣＨ２）ｔ−、
ＣＨ２＝ＣＨ−（ＣＨ２）ｔ−、
Ｃ１−６アルキル−ＣＨ＝ＣＨ−（ＣＨ２）ｔ−、
Ｃ３−７シクロアルキル−ＣＨ＝ＣＨ−（ＣＨ２）ｔ−、
アリール−ＣＨ＝ＣＨ−（ＣＨ２）ｔ−、
Ｃ１−６アルキルアリール−ＣＨ＝ＣＨ−（ＣＨ２）ｔ−、
Ｃ１−６アルキル−ＳＯ２−（ＣＨ２）ｔ−、
Ｃ１−６アルキルアリール−ＳＯ２−（ＣＨ２）ｔ−、
Ｃ１−６アルコキシ、
アリールＣ１−６アルコキシ、
アリールＣ１−６アルキル、
（Ｃ１−６アルキル）ｐアミノＣ１−６アルキル、
（アリール）ｐアミノ、
（アリール）ｐアミノＣ１−６アルキル、
（アリールＣ１−６アルキル）ｐアミノ、
（アリールＣ１−６アルキル）ｐアミノＣ１−６アルキル、
アリールカルボニルオキシ、
アリールＣ１−６アルキルカルボニルオキシ、
（Ｃ１−６アルキル）ｐアミノカルボニルオキシ、
Ｃ１−８アルキルスルホニルアミノ、
アリールスルホニルアミノ、
Ｃ１−８アルキルスルホニルアミノＣ１−６アルキル、
アリールスルホニルアミノＣ１−６アルキル、
アリールＣ１−６アルキルスルホニルアミノ、
アリールＣ１−６アルキルスルホニルアミノＣ１−６アルキル、
Ｃ１−８アルコキシカルボニルアミノ、
Ｃ１−８アルコキシカルボニルアミノＣ１−８アルキル、
アリールオキシカルボニルアミノＣ１−８アルキル、
アリールＣ１−８アルコキシカルボニルアミノ、
アリールＣ１−８アルコキシカルボニルアミノＣ１−８アルキル、
Ｃ１−８アルキルカルボニルアミノ、
Ｃ１−８アルキルカルボニルアミノＣ１−６アルキル、
アリールカルボニルアミノＣ１−６アルキル、
アリールＣ１−６アルキルカルボニルアミノ、
アリールＣ１−６アルキルカルボニルアミノＣ１−６アルキル、
アミノカルボニルアミノＣ１−６アルキル、
（Ｃ１−８アルキル）ｐアミノカルボニルアミノ、
（Ｃ１−８アルキル）ｐアミノカルボニルアミノＣ１−６アルキル、
（アリール）ｐアミノカルボニルアミノＣ１−６アルキル、
（アリールＣ１−８アルキル）ｐアミノカルボニルアミノ、
（アリールＣ１−８アルキル）ｐアミノカルボニルアミノＣ１−６アルキル、
アミノスルホニルアミノＣ１−６アルキル、
（Ｃ１−８アルキル）ｐアミノスルホニルアミノ、
（Ｃ１−８アルキル）ｐアミノスルホニルアミノＣ１−６アルキル、
（アリール）ｐアミノスルホニルアミノＣ１−６アルキル、
（アリールＣ１−８アルキル）ｐアミノスルホニルアミノ、
（アリールＣ１−８アルキル）ｐアミノスルホニルアミノＣ１−６アルキル、
Ｃ１−６アルキルスルホニル、
Ｃ１−６アルキルスルホニルＣ１−６アルキル、
アリールスルホニルＣ１−６アルキル、
アリールＣ１−６アルキルスルホニル、
アリールＣ１−６アルキルスルホニルＣ１−６アルキル、
Ｃ１−６アルキルカルボニル、
Ｃ１−６アルキルカルボニルＣ１−６アルキル、
アリールカルボニルＣ１−６アルキル、
アリールＣ１−６アルキルカルボニル、
アリールＣ１−６アルキルカルボニルＣ１−６アルキル、
Ｃ１−６アルキルチオカルボニルアミノ、
Ｃ１−６アルキルチオカルボニルアミノＣ１−６アルキル、
アリールチオカルボニルアミノＣ１−６アルキル、
アリールＣ１−６アルキルチオカルボニルアミノ、
アリールＣ１−６アルキルチオカルボニルアミノＣ１−６アルキル、
（Ｃ１−８アルキル）ｐアミノカルボニルＣ１−６アルキル、
（アリール）ｐアミノカルボニルＣ１−６アルキル、
（アリールＣ１−８アルキル）ｐアミノカルボニルおよび
（アリールＣ１−８アルキル）ｐアミノカルボニルＣ１−６アルキル
からなる群から選択されるか；あるいは同一の炭素原子上にある場合に２個のＲ３置換基が、それらが結合している炭素原子と一体となってカルボニル基またはシクロプロピル基を形成しており；
Ｒ３におけるアルキル基は未置換であるかあるいは１〜３個のＲ１置換基によって置換されており；ただし、各Ｒ３の選択は、得られる化合物において、Ｒ３が結合している１個もしくは複数の炭素原子自体が１個以下のヘテロ原子に結合するような形で行われ；
各Ｒ４は独立に、
水素、
アリール、
アミノカルボニル、
Ｃ３−８シクロアルキル、
アミノＣ１−６アルキル、
（アリール）ｐアミノカルボニル、
（アリールＣ１−５アルキル）ｐアミノカルボニル、
ヒドロキシカルボニルＣ１−６アルキル
Ｃ１−８アルキル、
アリールＣ１−６アルキル、
（Ｃ１−６アルキル）ｐアミノＣ２−６アルキル、
（アリールＣ１−６アルキル）ｐアミノＣ２−６アルキル、
Ｃ１−８アルキルスルホニル、
Ｃ１−８アルコキシカルボニル、
アリールオキシカルボニル、
アリールＣ１−８アルコキシカルボニル、
Ｃ１−８アルキルカルボニル、
アリールカルボニル、
アリールＣ１−６アルキルカルボニル、
（Ｃ１−８アルキル）ｐアミノカルボニル、
アミノスルホニル、
Ｃ１−８アルキルアミノスルホニル、
（アリール）ｐアミノスルホニル、
（アリールＣ１−８アルキル）ｐアミノスルホニル、
アリールスルホニル、
アリールＣ１−６アルキルスルホニル、
Ｃ１−６アルキルチオカルボニル、
アリールチオカルボニルおよび
アリールＣ１−６アルキルチオカルボニル
からなる群から選択され；
Ｒ４におけるアルキル基は未置換であるかあるいは１〜３個のＲ１置換基によって置換されており；
Ｒ５およびＲ６はそれぞれ独立に、
水素、
Ｃ１−１０アルキル、
アリール、
アリール−（ＣＨ２）ｒ−Ｏ−（ＣＨ２）ｓ−、
アリール−（ＣＨ２）ｒ−Ｓ（Ｏ）ｐ−（ＣＨ２）ｓ−、
アリール−（ＣＨ２）ｒ−Ｃ（Ｏ）−（ＣＨ２）ｓ−、
アリール−（ＣＨ２）ｒ−Ｃ（Ｏ）−Ｎ（Ｒ４）−（ＣＨ２）ｓ−、
アリール−（ＣＨ２）ｒ−Ｎ（Ｒ４）−Ｃ（Ｏ）−（ＣＨ２）ｓ−、
アリール−（ＣＨ２）ｒ−Ｎ（Ｒ４）−（ＣＨ２）ｓ−、
ハロゲン、
水酸基、
Ｃ１−８アルキルカルボニルアミノ、
アリールＣ１−５アルコキシ、
Ｃ１−５アルコキシカルボニル、
（Ｃ１−８アルキル）ｐアミノカルボニル、
Ｃ１−６アルキルカルボニルオキシ、
Ｃ３−８シクロアルキル、
（Ｃ１−６アルキル）ｐアミノ、
アミノＣ１−６アルキル、
アリールアミノカルボニル、
アリールＣ１−５アルキルアミノカルボニル、
アミノカルボニル、
アミノカルボニルＣ１−６アルキル、
ヒドロキシカルボニル、
ヒドロキシカルボニルＣ１−６アルキル、
ＨＣ≡Ｃ（ＣＨ２）ｔ−、
Ｃ１−６アルキル−Ｃ≡Ｃ（ＣＨ２）ｔ−、
Ｃ３−７シクロアルキル−Ｃ≡Ｃ−（ＣＨ２）ｔ−、
アリール−Ｃ≡Ｃ（ＣＨ２）ｔ−、
Ｃ１−６アルキルアリール−Ｃ≡Ｃ−（ＣＨ２）ｔ−、
ＣＨ２＝ＣＨ−（ＣＨ２）ｔ−、
Ｃ１−６アルキル−ＣＨ＝ＣＨ−（ＣＨ２）ｔ−、
Ｃ３−７シクロアルキル−ＣＨ＝ＣＨ−（ＣＨ２）ｔ−、
アリール−ＣＨ＝ＣＨ−（ＣＨ２）ｔ−、
Ｃ１−６アルキルアリール−ＣＨ＝ＣＨ−（ＣＨ２）ｔ−、
Ｃ１−６アルキル−ＳＯ２−（ＣＨ２）ｔ−、
Ｃ１−６アルキルアリール−ＳＯ２−（ＣＨ２）ｔ−、
Ｃ１−６アルコキシ、
アリールＣ１−６アルコキシ、
アリールＣ１−６アルキル、
（Ｃ１−６アルキル）ｐアミノＣ１−６アルキル、
（アリール）ｐアミノ、
（アリール）ｐアミノＣ１−６アルキル、
（アリールＣ１−６アルキル）ｐアミノ、
（アリールＣ１−６アルキル）ｐアミノＣ１−６アルキル、
アリールカルボニルオキシ、
アリールＣ１−６アルキルカルボニルオキシ、
（Ｃ１−６アルキル）ｐアミノカルボニルオキシ、
Ｃ１−８アルキルスルホニルアミノ、
アリールスルホニルアミノ、
Ｃ１−８アルキルスルホニルアミノＣ１−６アルキル、
アリールスルホニルアミノＣ１−６アルキル、
アリールＣ１−６アルキルスルホニルアミノ、
アリールＣ１−６アルキルスルホニルアミノＣ１−６アルキル、
Ｃ１−８アルコキシカルボニルアミノ、
Ｃ１−８アルコキシカルボニルアミノＣ１−８アルキル、
アリールオキシカルボニルアミノＣ１−８アルキル、
アリールＣ１−８アルコキシカルボニルアミノ、
アリールＣ１−８アルコキシカルボニルアミノＣ１−８アルキル、
Ｃ１−８アルキルカルボニルアミノ、
Ｃ１−８アルキルカルボニルアミノＣ１−６アルキル、
アリールカルボニルアミノＣ１−６アルキル、
アリールＣ１−６アルキルカルボニルアミノ、
アリールＣ１−６アルキルカルボニルアミノＣ１−６アルキル、
アミノカルボニルアミノＣ１−６アルキル、
（Ｃ１−８アルキル）ｐアミノカルボニルアミノ、
（Ｃ１−８アルキル）ｐアミノカルボニルアミノＣ１−６アルキル、
（アリール）ｐアミノカルボニルアミノＣ１−６アルキル、
（アリールＣ１−８アルキル）ｐアミノカルボニルアミノ、
（アリールＣ１−８アルキル）ｐアミノカルボニルアミノＣ１−６アルキル、
アミノスルホニルアミノＣ１−６アルキル、
（Ｃ１−８アルキル）ｐアミノスルホニルアミノ、
（Ｃ１−８アルキル）ｐアミノスルホニルアミノＣ１−６アルキル、
（アリール）ｐアミノスルホニルアミノＣ１−６アルキル、
（アリールＣ１−８アルキル）ｐアミノスルホニルアミノ、
（アリールＣ１−８アルキル）ｐアミノスルホニルアミノＣ１−６アルキル、
Ｃ１−６アルキルスルホニル、
Ｃ１−６アルキルスルホニルＣ１−６アルキル、
アリールスルホニルＣ１−６アルキル、
アリールＣ１−６アルキルスルホニル、
アリールＣ１−６アルキルスルホニルＣ１−６アルキル、
Ｃ１−６アルキルカルボニル、
Ｃ１−６アルキルカルボニルＣ１−６アルキル、
アリールカルボニルＣ１−６アルキル、
アリールＣ１−６アルキルカルボニル、
アリールＣ１−６アルキルカルボニルＣ１−６アルキル、
Ｃ１−６アルキルチオカルボニルアミノ、
Ｃ１−６アルキルチオカルボニルアミノＣ１−６アルキル、
アリールチオカルボニルアミノＣ１−６アルキル、
アリールＣ１−６アルキルチオカルボニルアミノ、
アリールＣ１−６アルキルチオカルボニルアミノＣ１−６アルキル、
（Ｃ１−８アルキル）ｐアミノカルボニルＣ１−６アルキル、
（アリール）ｐアミノカルボニルＣ１−６アルキル、
（アリールＣ１−８アルキル）ｐアミノカルボニルおよび
（アリールＣ１−８アルキル）ｐアミノカルボニルＣ１−６アルキル
からなる群から選択されるか；あるいはＲ５とＲ６とが、それらが結合している炭素原子と一体となってカルボニル基を形成しており；
Ｒ５またはＲ６におけるアルキル基は未置換であるかあるいは１〜３個のＲ１置換基によって置換されており；ただし、Ｒ５およびＲ６それぞれの選択は、得られる化合物において、Ｒ５およびＲ６が結合している炭素原子自体が１個以下のヘテロ原子に結合するような形で行われ；
Ｒ７およびＲ８はそれぞれ独立に、
水素、
Ｃ１−１０アルキル、
アリール、
アリール−（ＣＨ２）ｒ−Ｏ−（ＣＨ２）ｓ−、
アリール−（ＣＨ２）ｒ−Ｓ（Ｏ）ｐ−（ＣＨ２）ｓ−、
アリール−（ＣＨ２）ｒ−Ｃ（Ｏ）−（ＣＨ２）ｓ−、
アリール−（ＣＨ２）ｒ−Ｃ（Ｏ）−Ｎ（Ｒ４）−（ＣＨ２）ｓ−、
アリール−（ＣＨ２）ｒ−Ｎ（Ｒ４）−Ｃ（Ｏ）−（ＣＨ２）ｓ−、
アリール−（ＣＨ２）ｒ−Ｎ（Ｒ４）−（ＣＨ２）ｓ−、
ハロゲン、
水酸基、
Ｃ１−８アルキルカルボニルアミノ、
アリールＣ１−５アルコキシ、
Ｃ１−５アルコキシカルボニル、
（Ｃ１−８アルキル）ｐアミノカルボニル、
Ｃ１−６アルキルカルボニルオキシ、
Ｃ３−８シクロアルキル、
（Ｃ１−６アルキル）ｐアミノ、
アミノＣ１−６アルキル、
アリールアミノカルボニル、
アリールＣ１−５アルキルアミノカルボニル、
アミノカルボニル、
アミノカルボニルＣ１−６アルキル、
ヒドロキシカルボニル、
ヒドロキシカルボニルＣ１−６アルキル、
ＨＣ≡Ｃ（ＣＨ２）ｔ−、
Ｃ１−６アルキル−Ｃ≡Ｃ（ＣＨ２）ｔ−、
Ｃ３−７シクロアルキル−Ｃ≡Ｃ−（ＣＨ２）ｔ−、
アリール−Ｃ≡Ｃ（ＣＨ２）ｔ−、
Ｃ１−６アルキルアリール−Ｃ≡Ｃ−（ＣＨ２）ｔ−、
ＣＨ２＝ＣＨ−（ＣＨ２）ｔ−、
Ｃ１−６アルキル−ＣＨ＝ＣＨ−（ＣＨ２）ｔ−、
Ｃ３−７シクロアルキル−ＣＨ＝ＣＨ−（ＣＨ２）ｔ−、
アリール−ＣＨ＝ＣＨ−（ＣＨ２）ｔ−、
Ｃ１−６アルキルアリール−ＣＨ＝ＣＨ−（ＣＨ２）ｔ−、
Ｃ１−６アルキル−ＳＯ２−（ＣＨ２）ｔ−、
Ｃ１−６アルキルアリール−ＳＯ２−（ＣＨ２）ｔ−、
Ｃ１−６アルコキシ、
アリールＣ１−６アルコキシ、
アリールＣ１−６アルキル、
（Ｃ１−６アルキル）ｐアミノＣ１−６アルキル、
（アリール）ｐアミノ、
（アリール）ｐアミノＣ１−６アルキル、
（アリールＣ１−６アルキル）ｐアミノ、
（アリールＣ１−６アルキル）ｐアミノＣ１−６アルキル、
アリールカルボニルオキシ、
アリールＣ１−６アルキルカルボニルオキシ、
（Ｃ１−６アルキル）ｐアミノカルボニルオキシ、
Ｃ１−８アルキルスルホニルアミノ、
アリールカルボニルアミノ、
アリールスルホニルアミノ、
Ｃ１−８アルキルスルホニルアミノＣ１−６アルキル、
アリールスルホニルアミノＣ１−６アルキル、
アリールＣ１−６アルキルスルホニルアミノ、
アリールＣ１−６アルキルスルホニルアミノＣ１−６アルキル、
Ｃ１−８アルコキシカルボニルアミノ、
Ｃ１−８アルコキシカルボニルアミノＣ１−８アルキル、
アリールオキシカルボニルアミノＣ１−８アルキル、
アリールＣ１−８アルコキシカルボニルアミノ、
アリールＣ１−８アルコキシカルボニルアミノＣ１−８アルキル、
Ｃ１−８アルキルカルボニルアミノＣ１−６アルキル、
アリールカルボニルアミノＣ１−６アルキル、
アリールＣ１−６アルキルカルボニルアミノ、
アリールＣ１−６アルキルカルボニルアミノＣ１−６アルキル、
アミノカルボニルアミノＣ１−６アルキル、
アリールアミノカルボニルアミノ、
（Ｃ１−８アルキル）ｐアミノカルボニルアミノ、
（Ｃ１−８アルキル）ｐアミノカルボニルアミノＣ１−６アルキル、
（アリール）ｐアミノカルボニルアミノＣ１−６アルキル、
（アリールＣ１−８アルキル）ｐアミノカルボニルアミノ、
（アリールＣ１−８アルキル）ｐアミノカルボニルアミノＣ１−６アルキル、
アミノスルホニルアミノＣ１−６アルキル、
（Ｃ１−８アルキル）ｐアミノスルホニルアミノ、
（Ｃ１−８アルキル）ｐアミノスルホニルアミノＣ１−６アルキル、
（アリール）ｐアミノスルホニルアミノＣ１−６アルキル、
（アリールＣ１−８アルキル）ｐアミノスルホニルアミノ、
（アリールＣ１−８アルキル）ｐアミノスルホニルアミノＣ１−６アルキル、
Ｃ１−６アルキルスルホニル、
Ｃ１−６アルキルスルホニルＣ１−６アルキル、
アリールスルホニルＣ１−６アルキル、
アリールＣ１−６アルキルスルホニル、
アリールＣ１−６アルキルスルホニルＣ１−６アルキル、
Ｃ１−６アルキルカルボニル、
Ｃ１−６アルキルカルボニルＣ１−６アルキル、
アリールカルボニルＣ１−６アルキル、
アリールＣ１−６アルキルカルボニル、
アリールＣ１−６アルキルカルボニルＣ１−６アルキル、
Ｃ１−６アルキルチオカルボニルアミノ、
Ｃ１−６アルキルチオカルボニルアミノＣ１−６アルキル、
アリールチオカルボニルアミノＣ１−６アルキル、
アリールＣ１−６アルキルチオカルボニルアミノ、
アリールＣ１−６アルキルチオカルボニルアミノＣ１−６アルキル、
（Ｃ１−８アルキル）ｐアミノカルボニルＣ１−６アルキル、
（アリール）ｐアミノカルボニルＣ１−６アルキル、
（アリールＣ１−８アルキル）ｐアミノカルボニル、
（アリールＣ１−８アルキル）ｐアミノカルボニルＣ１−６アルキルおよび
Ｃ７−２０ポリシクリルＣ０−８アルキルスルホニルアミノ
からなる群から選択され；
Ｒ７およびＲ８におけるアルキル基は未置換であるかあるいは１〜３個のＲ１置換基によって置換されており；ただし、Ｒ７およびＲ８それぞれの選択は、得られる化合物において、Ｒ７およびＲ８が結合している炭素原子自体が１個以下のヘテロ原子に結合するような形で行われ；
Ｒ９は、
水素、
Ｃ１−８アルキル、
アリール、
アリールＣ１−８アルキル
Ｃ１−８アルキルカルボニルオキシＣ１−４アルキル、
アリールＣ１−８アルキルカルボニルオキシＣ１−４アルキル、
Ｃ１−８アルキルアミノカルボニルメチレンおよび
Ｃ１−８ジアルキルアミノカルボニルメチレン
からなる群から選択され；
Ｒ１０、Ｒ１１、Ｒ１２およびＲ１３はそれぞれ独立に、
水素、
Ｃ１−８アルキル、
アリール、
ハロゲン、
水酸基、
オキソ、
アミノカルボニル、
Ｃ３−８シクロアルキル、
アミノＣ１−６アルキル、
（アリール）ｐアミノカルボニル、
ヒドロキシカルボニル、
（アリールＣ１−５アルキル）ｐアミノカルボニル、
ヒドロキシカルボニルＣ１−６アルキル、
アリールＣ１−６アルキル、
（Ｃ１−６アルキル）ｐアミノＣ１−６アルキル、
（アリールＣ１−６アルキル）ｐアミノＣ２−６アルキル、
Ｃ１−８アルキルスルホニル、
Ｃ１−８アルコキシカルボニル、
アリールオキシカルボニル、
アリールＣ１−８アルコキシカルボニル、
Ｃ１−８アルキルカルボニル、
アリールカルボニル、
アリールＣ１−６アルキルカルボニル、
（Ｃ１−８アルキル）ｐアミノカルボニル、
アミノスルホニル、
Ｃ１−８アルキルアミノスルホニル、
（アリール）ｐアミノスルホニル、
（アリールＣ１−８アルキル）ｐアミノスルホニル、
Ｃ１−６アルキルスルホニル、
アリールスルホニル、
アリールＣ１−６アルキルスルホニル、
アリールＣ１−６アルキルカルボニル、
Ｃ１−６アルキルチオカルボニル、
アリールチオカルボニル、
アリールＣ１−６アルキルチオカルボニル、
アリール−（ＣＨ２）ｒ−Ｏ−（ＣＨ２）ｓ−、
アリール−（ＣＨ２）ｒ−Ｓ（Ｏ）ｐ−（ＣＨ２）ｓ−、
アリール−（ＣＨ２）ｒ−Ｃ（Ｏ）−（ＣＨ２）ｓ−、
アリール−（ＣＨ２）ｒ−Ｃ（Ｏ）−Ｎ（Ｒ４）−（ＣＨ２）ｓ−、
アリール−（ＣＨ２）ｒ−Ｎ（Ｒ４）−Ｃ（Ｏ）−（ＣＨ２）ｓ−、
アリール−（ＣＨ２）ｒ−Ｎ（Ｒ４）−（ＣＨ２）ｓ−、
ＨＣ≡Ｃ（ＣＨ２）ｔ−、
Ｃ１−６アルキル−Ｃ≡Ｃ（ＣＨ２）ｔ−、
Ｃ３−７シクロアルキル−Ｃ≡Ｃ−（ＣＨ２）ｔ−、
アリール−Ｃ≡Ｃ（ＣＨ２）ｔ−、
Ｃ１−６アルキルアリール−Ｃ≡Ｃ−（ＣＨ２）ｔ−、
ＣＨ２＝ＣＨ−（ＣＨ２）ｔ−、
Ｃ１−６アルキル−ＣＨ＝ＣＨ−（ＣＨ２）ｔ−、
Ｃ３−７シクロアルキル−ＣＨ＝ＣＨ−（ＣＨ２）ｔ−、
アリール−ＣＨ＝ＣＨ−（ＣＨ２）ｔ−、
Ｃ１−６アルキルアリール−ＣＨ＝ＣＨ−（ＣＨ２）ｔ−、
Ｃ１−６アルキル−ＳＯ２−（ＣＨ２）ｔ−、
Ｃ１−６アルキルアリール−ＳＯ２−（ＣＨ２）ｔ−、
Ｃ１−８アルキルカルボニルアミノ、
アリールＣ１−５アルコキシ、
Ｃ１−５アルコキシカルボニル、
（Ｃ１−８アルキル）ｐアミノカルボニル、
Ｃ１−６アルキルカルボニルオキシ、
（Ｃ１−６アルキル）ｐアミノ、
アミノカルボニルＣ１−６アルキル、
Ｃ１−６アルコキシ、
アリールＣ１−６アルコキシ、
（アリール）ｐアミノ、
（アリール）ｐアミノＣ１−６アルキル、
（アリールＣ１−６アルキル）ｐアミノ、
（アリールＣ１−６アルキル）ｐアミノＣ１−６アルキル、
アリールカルボニルオキシ、
アリールＣ１−６アルキルカルボニルオキシ、
（Ｃ１−６アルキル）ｐアミノカルボニルオキシ、
Ｃ１−８アルキルスルホニルアミノ、
アリールスルホニルアミノ、
Ｃ１−８アルキルスルホニルアミノＣ１−６アルキル、
アリールスルホニルアミノＣ１−６アルキル、
アリールＣ１−６アルキルスルホニルアミノ、
アリールＣ１−６アルキルスルホニルアミノＣ１−６アルキル、
Ｃ１−８アルコキシカルボニルアミノ、
Ｃ１−８アルコキシカルボニルアミノＣ１−８アルキル、
アリールオキシカルボニルアミノＣ１−８アルキル、
アリールＣ１−８アルコキシカルボニルアミノ、
アリールＣ１−８アルコキシカルボニルアミノＣ１−８アルキル、
Ｃ１−８アルキルカルボニルアミノ、
Ｃ１−８アルキルカルボニルアミノＣ１−６アルキル、
アリールカルボニルアミノＣ１−６アルキル、
アリールＣ１−６アルキルカルボニルアミノ、
アリールＣ１−６アルキルカルボニルアミノＣ１−６アルキル、
アミノカルボニルアミノＣ１−６アルキル、
（Ｃ１−８アルキル）ｐアミノカルボニルアミノ、
（Ｃ１−８アルキル）ｐアミノカルボニルアミノＣ１−６アルキル、
（アリール）ｐアミノカルボニルアミノＣ１−６アルキル、
（アリールＣ１−８アルキル）ｐアミノカルボニルアミノ、
（アリールＣ１−８アルキル）ｐアミノカルボニルアミノＣ１−６アルキル、
アミノスルホニルアミノＣ１−６アルキル、
（Ｃ１−８アルキル）ｐアミノスルホニルアミノ、
（Ｃ１−８アルキル）ｐアミノスルホニルアミノＣ１−６アルキル、
（アリール）ｐアミノスルホニルアミノＣ１−６アルキル、
（アリールＣ１−８アルキル）ｐアミノスルホニルアミノ、
（アリールＣ１−８アルキル）ｐアミノスルホニルアミノＣ１−６アルキル、
Ｃ１−６アルキルスルホニル、
Ｃ１−６アルキルスルホニルＣ１−６アルキル、
アリールスルホニルＣ１−６アルキル、
アリールＣ１−６アルキルスルホニル、
アリールＣ１−６アルキルスルホニルＣ１−６アルキル、
Ｃ１−６アルキルカルボニル、
Ｃ１−６アルキルカルボニルＣ１−６アルキル、
アリールカルボニルＣ１−６アルキル、
アリールＣ１−６アルキルカルボニル、
アリールＣ１−６アルキルカルボニルＣ１−６アルキル、
Ｃ１−６アルキルチオカルボニルアミノ、
Ｃ１−６アルキルチオカルボニルアミノＣ１−６アルキル、
アリールチオカルボニルアミノＣ１−６アルキル、
アリールＣ１−６アルキルチオカルボニルアミノ、
アリールＣ１−６アルキルチオカルボニルアミノＣ１−６アルキル、
（Ｃ１−８アルキル）ｐアミノカルボニルＣ１−６アルキル、
（アリール）ｐアミノカルボニルＣ１−６アルキル、
（アリールＣ１−８アルキル）ｐアミノカルボニルおよび
（アリールＣ１−８アルキル）ｐアミノカルボニルＣ１−６アルキル
からなる群から選択され；
Ｒ１０、Ｒ１１、Ｒ１２およびＲ１３におけるアルキル基は未置換であるかあるいは１〜３個のＲ１置換基によって置換されており； 
各ｍは独立に０〜６の整数であり；
各ｎは独立に０〜６の整数であり；
各ｐは独立に０〜２の整数であり；
各ｒは独立に１〜３の整数であり；
各ｓは独立に０〜３の整数であり；
各ｔは０〜３の整数であり；
ｖは独立に０〜６の整数である。］
【請求項２】  Ｗが、１個もしくは２個の窒素原子を有する６員の単環式芳香環（該環において各炭素原子は未置換であるかあるいは１個のＲ１置換基で置換されている）、あるいは１以上の環が芳香族であり、Ｎ、ＯおよびＳからなる群から選択される０、１、２、３または４個のヘテロ原子を有する９〜１４員の多環系（該多環系において、環窒素原子は未置換であるかあるいは１個のＲ１置換基で置換されており、環炭素原子は未置換であるかあるいは１個もしくは２個のＲ１置換基で置換されている）であり；
Ｘが−（ＣＨ２）ｖ−であり、該基においてメチレン（ＣＨ２）炭素原子は未置換であるかあるいは１個もしくは２個のＲ１置換基で置換されており；
Ｚが
【化３】
2002508326.tif 000003
からなる群から選択される請求項１に記載の化合物。
【請求項３】  Ｗが
【化４】
2002508326.tif 000004
からなる群から選択され；
Ｚが
【化５】
2002508326.tif 000005
からなる群から選択される請求項２に記載の化合物。
【請求項４】  Ｗが
【化６】
2002508326.tif 000006
であり；
Ｘが−（ＣＨ２）ｖ−であり、該基においてメチレン（ＣＨ２）炭素原子は未置換であるかあるいは１個もしくは２個のＲ１置換基で置換されており；
Ｙが、
−（ＣＨ２）ｍ−、
−（ＣＨ２）ｍ−Ｏ−（ＣＨ２）ｎ−、
−（ＣＨ２）ｍ−ＮＲ４−（ＣＨ２）ｎ−、
−（ＣＨ２）ｍ−Ｓ−（ＣＨ２）ｎ−、
−（ＣＨ２）ｍ−ＳＯ−（ＣＨ２）ｎ−、
−（ＣＨ２）ｍ−ＳＯ２−（ＣＨ２）ｎ−、
−（ＣＨ２）ｍ−Ｏ−（ＣＨ２）ｎ−Ｏ−（ＣＨ２）ｐ−、
−（ＣＨ２）ｍ−Ｏ−（ＣＨ２）ｎ−ＮＲ４−（ＣＨ２）ｐ−、
−（ＣＨ２）ｍ−ＮＲ４−（ＣＨ２）ｎ−ＮＲ４−（ＣＨ２）ｐ−および
−（ＣＨ２）ｍ−ＮＲ４−（ＣＨ２）ｎ−Ｏ−（ＣＨ２）ｐ−
からなる群から選択され；
ＹにおけるＲ４以外のメチレン（ＣＨ２）炭素原子が１個もしくは２個のＲ３置換基によって置換されていても良く；
Ｚが
【化７】
2002508326.tif 000007
である請求項３に記載の化合物。
【請求項５】  Ｙが、（ＣＨ２）ｍ、（ＣＨ２）ｍ−Ｓ−（ＣＨ２）ｎおよび（ＣＨ２）ｍ−ＮＲ４−（ＣＨ２）ｎからなる群から選択され；ＹにおけるＲ４以外のメチレン（ＣＨ２）炭素原子が１個もしくは２個のＲ３置換基によって置換されていても良く；
ｍおよびｎが０〜３の整数であり；
ｖが０である請求項４に記載の化合物。
【請求項６】  各Ｒ３が独立に、
水素、
フッ素、
トリフルオロメチル、
アリール、
Ｃ１−８アルキル、
アリールＣ１−６アルキル、
水酸基、
オキソ、
アリールアミノカルボニル、
アリールＣ１−５アルキルアミノカルボニル、
アミノカルボニル
および
アミノカルボニルＣ１−６アルキル
からなる群から選択され；
各Ｒ４が独立に、
水素、
アリール、
Ｃ３−８シクロアルキル、
Ｃ１−８アルキル、
Ｃ１−８アルキルカルボニル、
アリールカルボニル、
Ｃ１−６アルキルスルホニル、
アリールスルホニル、
アリールＣ１−６アルキルスルホニル、
アリールＣ１−６アルキルカルボニル、
Ｃ１−８アルキルアミノカルボニル、
アリールＣ１−５アルキルアミノカルボニル、
アリールＣ１−８アルコキシカルボニルおよび
Ｃ１−８アルコキシカルボニル
からなる群から選択される請求項５に記載の化合物。
【請求項７】  Ｒ６、Ｒ７およびＲ８がそれぞれ水素であり、Ｒ５が
水素、
アリール、
Ｃ１−８アルキル、
アリール−Ｃ≡Ｃ−（ＣＨ２）ｔ−、
アリールＣ１−６アルキル、
ＣＨ２＝ＣＨ−（ＣＨ２）ｔ−および
ＨＣ≡Ｃ−（ＣＨ２）ｔ−
からなる群から選択される請求項６に記載の化合物。
【請求項８】  Ｒ９が水素、メチルおよびエチルからなる群から選択される請求項７に記載の化合物。
【請求項９】  Ｒ９が水素である請求項８に記載の化合物。
【請求項１０】  Ｒ５、Ｒ６およびＲ８がそれぞれ水素であり、Ｒ７が、
水素、
アリール、
Ｃ１−８アルキルカルボニルアミノ、
Ｃ１−８アルキルスルホニルアミノ、
アリールカルボニルアミノ、
アリールスルホニルアミノ、
Ｃ１−８アルキルスルホニルアミノＣ１−６アルキル、
アリールスルホニルアミノＣ１−６アルキル、
アリールＣ１−６アルキルスルホニルアミノ、
アリールＣ１−６アルキルスルホニルアミノＣ１−６アルキル、
Ｃ１−８アルコキシカルボニルアミノ、
Ｃ１−８アルコキシカルボニルアミノＣ１−８アルキル、
アリールオキシカルボニルアミノＣ１−８アルキル、
アリールＣ１−８アルコキシカルボニルアミノ、
アリールＣ１−８アルコキシカルボニルアミノＣ１−８アルキル、
Ｃ１−８アルキルカルボニルアミノＣ１−６アルキル、
アリールカルボニルアミノＣ１−６アルキル、
アリールＣ１−６アルキルカルボニルアミノ、
アリールＣ１−６アルキルカルボニルアミノＣ１−６アルキル、
アミノカルボニルアミノＣ１−６アルキル、
（Ｃ１−８アルキル）ｐアミノカルボニルアミノ、
（Ｃ１−８アルキル）ｐアミノカルボニルアミノＣ１−６アルキル、
（アリール）ｐアミノカルボニルアミノＣ１−６アルキル、
アリールアミノカルボニルアミノ、
（アリールＣ１−８アルキル）ｐアミノカルボニルアミノ、
（アリールＣ１−８アルキル）ｐアミノカルボニルアミノＣ１−６アルキル、
アミノスルホニルアミノＣ１−６アルキル、
（Ｃ１−８アルキル）ｐアミノスルホニルアミノ、
（Ｃ１−８アルキル）ｐアミノスルホニルアミノＣ１−６アルキル、
（アリール）ｐアミノスルホニルアミノＣ１−６アルキル、
（アリールＣ１−８アルキル）ｐアミノスルホニルアミノ、
（アリールＣ１−８アルキル）ｐアミノスルホニルアミノＣ１−６アルキル、
Ｃ１−６アルキルチオカルボニルアミノ、
Ｃ１−６アルキルチオカルボニルアミノＣ１−６アルキル、
アリールチオカルボニルアミノＣ１−６アルキル、
アリールＣ１−６アルキルチオカルボニルアミノおよび
アリールＣ１−６アルキルチオカルボニルアミノＣ１−６アルキル
からなる群から選択される請求項６に記載の化合物。
【請求項１１】  Ｒ７が、
水素、
アリール、
Ｃ１−８アルキルカルボニルアミノ、
アリールＣ１−６アルキルカルボニルアミノ、
アリールカルボニルアミノ、
Ｃ１−８アルキルスルホニルアミノ、
アリールＣ１−６アルキルスルホニルアミノ、
アリールスルホニルアミノ、
Ｃ１−８アルコキシカルボニルアミノ、
アリールＣ１−８アルコキシカルボニルアミノ、
アリールアミノカルボニルアミノ、
（Ｃ１−８アルキル）ｐアミノカルボニルアミノ、
（アリールＣ１−８アルキル）ｐアミノカルボニルアミノ、
（Ｃ１−８アルキル）ｐアミノスルホニルアミノおよび
（アリールＣ１−８アルキル）ｐアミノスルホニルアミノ
からなる群から選択される請求項１０に記載の化合物。
【請求項１２】  Ｒ９が水素、メチルおよびエチルからなる群から選択される請求項１１に記載の化合物。
【請求項１３】  Ｒ９が水素である請求項１２に記載の化合物。
【請求項１４】
３（Ｓ）−（２，３−ジヒドロ−ベンゾフラン−６−イル）−３−｛２−オキソ−３−［３−（５，６，７，８−テトラヒドロ［１，８］ナフチリジン−２−イル）−プロピル］−テトラヒドロ−ピリミジン−１−イル}−プロピオン酸エチル；
３（Ｓ）−（３−フルオロフェニル）−３−（２−オキソ−３（ＳまたはＲ）−［３−（５，６，７，８−テトラヒドロ［１，８］ナフチリジン−２−イル）−プロピル］−ピペリジン−１−イル）−プロピオン酸エチル；
３（Ｓ）−（３−フルオロフェニル）−３−（２−オキソ−３（ＲまたはＳ）−［３−（５，６，７，８−テトラヒドロ［１，８］ナフチリジン−２−イル）−プロピル］−ピペリジン−１−イル）−プロピオン酸エチル；
３（Ｓ）−（２，３−ジヒドロ−ベンゾフラン−６−イル）−３−｛２−オキソ−３−［３−（５，６，７，８−テトラヒドロ［１，８］ナフチリジン−２−イル）−プロピル］−テトラヒドロ−ピリミジン−１−イル）−プロピオン酸；
３（Ｓ）−（３−フルオロフェニル）−３−（２−オキソ−３（ＳまたはＲ）−［３−（５，６，７，８−テトラヒドロ［１，８］ナフチリジン−２−イル）−プロピル］−ピペリジン−１−イル）−プロピオン酸；
３（Ｓ）−（３−フルオロフェニル）−３−（２−オキソ−３（ＲまたはＳ）−［３−（５，６，７，８−テトラヒドロ［１，８］ナフチリジン−２−イル）−プロピル］−ピペリジン−１−イル）−プロピオン酸
からなる群から選択される請求項６に記載の化合物ならびに該化合物の医薬的に許容される塩。
【請求項１５】
３（Ｓ）−（２，３−ジヒドロ−ベンゾフラン−６−イル）−３−｛２−オキソ−３−［３−（５，６，７，８−テトラヒドロ［１，８］ナフチリジン−２−イル）−プロピル］−テトラヒドロ−ピリミジン−１−イル）−プロピオン酸；
３（Ｓ）−（３−フルオロフェニル）−３−（２−オキソ−３（ＳまたはＲ）−［３−（５，６，７，８−テトラヒドロ［１，８］ナフチリジン−２−イル）−プロピル］−ピペリジン−１−イル）−プロピオン酸；
３（Ｓ）−（３−フルオロフェニル）−３−（２−オキソ−３（ＲまたはＳ）−［３−（５，６，７，８−テトラヒドロ［１，８］ナフチリジン−２−イル）−プロピル］−ピペリジン−１−イル）−プロピオン酸
からなる群から選択される請求項１４に記載の化合物ならびに該化合物の医薬的に許容される塩。
【請求項１６】  請求項１に記載の化合物と医薬的に許容される担体とを含む医薬組成物。
【請求項１７】  請求項１に記載の化合物と医薬的に許容される担体とを組み合わせることで製造される医薬組成物。
【請求項１８】  請求項１に記載の化合物と医薬的に許容される担体とを組み合わせる段階を有する医薬組成物の製造方法。
【請求項１９】
ａ）有機ビスホスホン酸化合物または該化合物の医薬的に許容される塩もしくはエステル；
ｂ）エストロゲン受容体調節剤；
ｃ）細胞毒剤／抗増殖剤；
ｄ）基質金属プロテイナーゼ阻害剤；
ｅ）表皮由来、線維芽細胞由来または血小板由来の成長因子の阻害剤；
ｆ）ＶＥＧＦ阻害剤；
ｇ）Ｆｌｋ−１／ＫＤＲ、Ｆｌｔ−１、Ｔｃｋ／Ｔｉｅ−２またはＴｉｅ−１の阻害剤；
ｈ）カテプシンＫ阻害剤；および
ｉ）ファルネシル蛋白トランスフェラーゼ阻害薬もしくはゲラニルゲラニルトランスフェラーゼ阻害薬またはファルネシル／ゲラニルゲラニルトランスフェラーゼ二重阻害薬などのプレニル化阻害薬；ならびにそれらの混合物
からなる群から選択される有効成分をさらに含む請求項１６に記載の組成物。
【請求項２０】
前記有効成分が、
ａ）有機ビスホスホン酸化合物または該化合物の医薬的に許容される塩もしくはエステル；
ｂ）エストロゲン受容体調節剤；および
ｃ）カテプシンＫ阻害剤；ならびに
それらの混合物
からなる群から選択される請求項１９に記載の組成物。
【請求項２１】  前記有機ビスホスホン酸化合物または該化合物の医薬的に許容される塩もしくはエステルが、アレンドロン酸モノナトリウム・３水和物である請求項２０に記載の化合物。
【請求項２２】  前記有効成分が、
ａ）細胞毒剤／抗増殖剤；
ｂ）基質金属プロテイナーゼ阻害剤；
ｃ）表皮由来、線維芽細胞由来または血小板由来の成長因子の阻害剤；
ｄ）ＶＥＧＦ阻害剤；
ｅ）Ｆｌｋ−１／ＫＤＲ、Ｆｌｔ−１、Ｔｃｋ／Ｔｉｅ−２またはＴｉｅ−１の阻害剤；ならびに
それらの混合物
からなる群から選択される請求項１９に記載の組成物。
【請求項２３】  処置を必要とする哺乳動物でインテグリン受容体拮抗効果を誘発する方法であって、治療上有効量の請求項１に記載の化合物を該哺乳動物に投与する段階を有してなる方法。
【請求項２４】  前記インテグリン受容体拮抗効果がαｖβ３拮抗効果である請求項２３に記載の方法。
【請求項２５】  αｖβ３拮抗効果が、骨吸収、再狭窄、血管形成、糖尿病性網膜症、黄斑変性、炎症、ウィルス疾患および腫瘍成長の阻害からなる群から選択される請求項２４に記載の方法。
【請求項２６】  αｖβ３拮抗効果が骨吸収阻害である請求項２５に記載の方法。
【請求項２７】  前記インテグリン受容体拮抗効果がαｖβ５拮抗効果である請求項２３に記載の方法。
【請求項２８】  αｖβ５拮抗効果が、再狭窄、血管形成、糖尿病性網膜症、黄斑変性、炎症および腫瘍成長の阻害からなる群から選択される請求項２７に記載の方法。
【請求項２９】  前記インテグリン受容体拮抗効果がαｖβ３／αｖβ５二重拮抗効果である請求項２３に記載の方法。
【請求項３０】  αｖβ３／αｖβ５二重拮抗効果が、骨吸収、再狭窄、血管形成、糖尿病性網膜症、黄斑変性、炎症、ウィルス疾患および腫瘍成長の阻害からなる群から選択される請求項２９に記載の方法。
【請求項３１】  前記インテグリン受容体拮抗効果がαｖβ６拮抗効果である請求項２３に記載の方法。
【請求項３２】  αｖβ６拮抗効果が、血管形成、炎症応答および創傷治癒からなる群から選択される請求項３１に記載の方法。
【請求項３３】  処置を必要とする哺乳動物においてインテグリン受容体拮抗効果を誘発する方法であって、該哺乳動物に治療上有効量の請求項１６に記載の組成物を投与する段階を有してなる方法。
【請求項３４】  処置を必要とする哺乳動物におけるインテグリン受容体の拮抗が介在する状態の治療または予防方法であって、該哺乳動物に治療上有効量の請求項１６に記載の組成物を投与する段階を有してなる方法。
【請求項３５】  処置を必要とする哺乳動物における骨吸収阻害方法であって、該哺乳動物に治療上有効量の請求項１６に記載の組成物を投与する段階を有してなる方法。
【請求項３６】  処置を必要とする哺乳動物における骨吸収阻害方法であって、該哺乳動物に治療上有効量の請求項２０に記載の組成物を投与する段階を有してなる方法。
【請求項３７】  処置を必要とする哺乳動物における腫瘍成長の治療方法であって、該哺乳動物に治療上有効量の請求項２２に記載の組成物を投与する段階を有してなる方法。
【請求項３８】  処置を必要とする哺乳動物における腫瘍成長の治療方法であって、該哺乳動物に対して、放射線療法との併用で、治療上有効量の請求項１に記載の化合物を投与する段階を有してなる方法。